(57)【要約】【課題】  操作性に優れるとともに誤操作の防止を達成してなる針合せ装置を提供すること。【解決手段】  アナログ時計のムーブメント１に設けられる針合せ装置１００において、ムーブメントは、モータ２１０と、モータに連結された減速機構３１０と、指針を装着する指針パイプ４１０，４２０と、それらを支持するケース体６００とを備え、当該針合せ装置は、指針パイプに連結された歯車３１１と噛合する針合せカナ１１０を備え、針合せカナを回転することにより、指針パイプを回転させるものであり、針合せカナの先端面には、回転工具１２０を差し込むための溝部１１１と、操作子１３０を圧入して連結するための孔部１１２とを設け、ケース体には、溝部及び孔部を外部に露呈する開口部６１３を設け、溝部及び孔部は、ケース体の表面よりも開口部の奥に位置し、針合せカナは、回転工具及び操作子を択一的に用いて回転するようにした。【選択図】図５
2010038584.tif 000002
【特許請求の範囲】
【請求項１】
アナログ時計のムーブメントに設けられる針合せ装置において、
前記ムーブメントは、モータと、前記モータに連結された減速機構と、指針を装着する指針パイプと、それらを支持するケース体とを備え、
当該針合せ装置は、前記指針パイプに連結された歯車と噛合する針合せカナを備え、前記針合せカナを回転することにより、前記指針パイプを回転させるものであり、
前記針合せカナの先端面には、回転工具を差し込むための溝部と、操作子を圧入して連結するための孔部とを設け、
前記ケース体には、前記溝部及び前記孔部を外部に露呈する開口部を設け、
前記溝部及び前記孔部は、前記ケース体の表面よりも前記開口部の奥に位置し、
前記針合せカナは、前記回転工具及び前記操作子を択一的に用いて回転するようにしたことを特徴とする針合せ装置。
【請求項２】
前記ムーブメントは、電波修正時計のムーブメントであることを特徴とする請求項１記載の針合せ装置。
【発明の詳細な説明】
【技術分野】
【０００１】
本発明は、アナログ時計のムーブメントに設けられる針合せ装置に関する。
【背景技術】
【０００２】
時計の指針を駆動するムーブメントは、指針パイプが減速機構を介してモータにより駆動する構成となっている。一般に、指針パイプとしては、時針を装着する時針パイプと分針を装着する分針パイプとを備え、分針パイプに伝達されたモータの動力が日の裏車を介して時針パイプに伝達される構成となっている。また、日の裏車には針合せカナが連結され、この針合せカナを回転することにより、ムーブメントのケースの外部から指針の表示時刻を修正することができる構成となっている。特許文献１には、この種の針合せ装置が開示されている。また、特許文献２の段落［００９２］にも記載されているように、針合せ装置は、標準時刻電波を受信してその表示時刻を修正する電波修正時計のムーブメントにも設けられている。
【特許文献１】特開平９−１５９７７２号公報
【特許文献２】特開２００５−１８９０８４号公報
【発明の開示】
【発明が解決しようとする課題】
【０００３】
さて、電波修正時計の場合、指針パイプの位置はモータの制御によって自動的に修正される。故に、通常は針合せ装置を操作する必要はない。針合せ装置は、もっぱら製造時や検査時において便宜的に利用されている。つまり、使用者が誤まってこれを操作すると、むしろ正確な時刻表示の妨げになる場合が顕著であった。本発明は、かかる事情に鑑みてなされたものであり、その目的は、操作性に優れるとともに誤操作の防止を達成してなる針合せ装置を提供することである。
【課題を解決するための手段】
【０００４】
本願第１請求項に記載した発明は、アナログ時計のムーブメントに設けられる針合せ装置において、前記ムーブメントは、モータと、前記モータに連結された減速機構と、指針を装着する指針パイプと、それらを支持するケース体とを備え、当該針合せ装置は、前記指針パイプに連結された歯車と噛合する針合せカナを備え、前記針合せカナを回転することにより、前記指針パイプを回転させるものであり、前記針合せカナの先端面には、回転工具を差し込むための溝部と、操作子を圧入して連結するための孔部とを設け、前記ケース体には、前記溝部及び前記孔部を外部に露呈する開口部を設け、前記溝部及び前記孔部は、前記ケース体の表面よりも前記開口部の奥に位置し、前記針合せカナは、前記回転工具及び前記操作子を択一的に用いて回転するようにした構成の針合せ装置である。
【０００５】
本願第２請求項に記載した発明は、請求項１において、前記ムーブメントは、電波修正時計のムーブメントである構成の針合せ装置である。
【発明の効果】
【０００６】
本発明によれば、操作性に優れるとともに誤操作の防止を達成してなる針合せ装置を得ることができる。
【発明を実施するための最良の形態】
【０００７】
以下に、本発明の実施例を図面に基づいて説明する。図１乃至図５に示す本例の電波修正時計のムーブメント１は、複数のモータ２１０，２２０と、各モータ２１０，２２０に連結されたギア列からなる減速機構３１０，３２０と、指針を装着する指針パイプ４１０，４２０，４３０と、モータ２１０，２２０を制御する駆動回路を設けた回路基板５００と、それらを支持するケース体６００とを備え、指針パイプ４１０，４２０，４３０が減速機構３１０，３２０を介してモータ２１０，２２０により駆動する構成となっている。
【０００８】
具体的には、時針を装着する時針パイプ４１０、分針を装着する分針パイプ４２０、秒針を装着する秒針パイプ４３０が同心軸状に設けられている。そして、第１ステッピングモータ２１０に連結された第１減速機構３１０が分針パイプ４２０の基端部に設けられた分針車４２１と連結されている。第２ステッピングモータ２２０に連結された第２減速機構３２０が秒針パイプ４３０の基端部に設けられた秒針車４３１と連結されている。また、分針パイプ４２０の基端部に設けられたカナ４２２が日の裏車３１１と連結されており、時針パイプ４１０の基端部に設けられた時針車４１１が日の裏車３１１のカナ３１２と連結されている。
【０００９】
時針パイプ４１０及び分針パイプ４２０が第１ステッピングモータ２１０によりそれぞれ所定の速度で回転駆動し、秒針パイプ４３０が第２ステッピングモータにより所定の速度で回転駆動する。
【００１０】
尚、図中の７００は、発光素子７１０及び受光素子７２０からなる位置検出手段である。発光素子７１０及び受光素子７２０の間に位置する駆動部材の要所には、発光素子７１０の光を透過する透光部７３０が設けられており、受光素子７２０の検出パターンから各指針パイプ４１０，４２０，４３０の回転位置を検出する構成となっている。
【００１１】
また、本例のムーブメント１は、標準時刻電波を受信してその表示時刻を修正する電波修正時計に用いるものであって、標準時刻電波を受信するアンテナ８００をケース体６００に設けるとともに、受信の動作を制御する受信回路を回路基板５００に設けてなるものである。
【００１２】
ケース体６００は、背面側の第１ケース部材６１０及び正面側の第２ケース部材６２０をその厚さ方向に組付けてなる扁平型のものである。第１ケース部材６１０及び第２ケース部材６２０の間には、モータ２１０，２２０を装着した中板６０１が設けられている。
【００１３】
このケース体６００の内部には、モータ２１０，２２０、減速機構３１０，３２０、及び指針パイプ４１０，４２０，４３０の基端部、及び後に詳述する針合せ装置１００が収納されている。第１ケース部材６１０、第２ケース部材６２０、及び中板６０１の要所には、各構成部材を保持する凹凸、ボス、及び支軸等が形成されている。指針パイプ４１０，４２０，４３０の先端部は、第２ケース部材６２０から正面に向けて突出している。第１ケース部材６１０及び第２ケース部材６２０は、互いにねじ止めされている。回路基板５００は、第２ケース部材６２０の正面に重ねてねじ止めし、装着されている。回路基板５００には、指針パイプ４１０，４２０，４３０を挿通する孔部が設けられている。
【００１４】
第１ケース部材６１０は、ケース体６００の正面側から見て第２ケース部材６２０の側部に食み出した部位にアンテナ８００の装着部６１１を一体に備えている。この装着部６１１は、正面側を開口した箱型を呈するものであり、その内部には、アンテナ８００の端部を固定するスナップ６１２が設けられている。すなわち、本例のムーブメント１は、ケース体６００を組付け、回路基板５００及びアンテナ８００を装着し、アンテナ８００のリード線を回路基板５００にハンダ付けしてそれらを電気的に接続した後に、回路基板５００に搭載されたコンデンサ等の受信回路の電子部品を操作してアンテナ８００のチューニングをすることができる構成となっている。
【００１５】
本例の場合、このように回路基板５００及びアンテナ８００を設けた後、更に回路基板５００の正面に目安機構９００を設けている。この目安機構９００は、第２ケース部材６２０の正面に第３ケース部材６３０をねじ止めし、この第３ケース部材６３０と回路基板５００との間に設けられている。指針パイプ４１０，４２０，４３０の先端部は、第３ケース部材６３０を貫通している。
【００１６】
目安機構９００の具体的構成は、特に限定はしないが、本例の場合、不図示の操作手段にて使用者が任意に回転操作する目安車９１０と、時針パイプ４１０と同期回転する時伝え車９２０と、時伝え車９２０に追従する目安カム９３０と、目安カム９３０を目安車９１０側に付勢する所定の形状の板バネ９４０と、回路基板５００に設けられた目安接点９５０とを備え、時針パイプ４１０の駆動に連動して板バネ９４０が目安接点９５０と離合して、目安接点９５０のＯＦＦ／ＯＮが切換えられる構成となっている。
【００１７】
目安車９１０の要所には孔部９１１が設けられており、目安カム９３０は、一回転に一度、その突起部９３１が目安車９１０の孔部９１１に没入することにより、目安車９１０側にある程度移動する。目安カム９３０が目安車９１０側に移動すると、板バネ９４０の所定の部位が目安接点９５０と接触し、目安接点９５０がＯＦＦからＯＮとなる。
【００１８】
また、突起部９３１の先端には、所定の向きのテーパーが設けられており、突起部９３１は、目安車９１０の孔部９１１に没入した後、目安カム９３０がある程度回転したところで、その孔部９１１から外脱する。突起部９３１が孔部９１１から外脱すると、板バネ９４０が目安接点９５０から離れて、目安接点９５０がＯＮからＯＦＦとなる。かかる目安機構９００は、必要に応じて取り付け可能となっている。
【００１９】
次に、本例の針合せ装置１００について説明する。本例の針合せ装置１００は、時針パイプ４１０及び分針パイプ４２０に連結された歯車、すなわち日の裏車３１１と噛合する針合せカナ１１０を備え、針合せカナ１１０を回転することにより、時針パイプ４１０及び分針パイプ４２０を回転させるものである。針合せカナ１１０は、第２ケース部材６２０の要所に設けられた支軸６２１に支持されており、この支軸６２１を中心に回転可能となっている。
【００２０】
また、図６乃至図８に示すように、針合せカナ１１０の先端面には、プラスドライバーやマイナスドライバーといった回転工具１２０を差し込むための溝部１１１と、所定の操作子１３０を圧入して連結するための孔部１１２とを設けている。更に、ケース体６００の第１ケース部材６１０の要所には、これらの溝部１１１及び孔部１１２を外部に露呈する開口部６１３が設けられている。
【００２１】
特に本例の場合、溝部１１１及び孔部１１２は、ケース体６００の表面よりも開口部６１３の奥に位置している。針合せカナ１１０は、回転工具１２０及び操作子１３０を択一的に用いて回転する構成となっている。すなわち、針合せカナ１１０は、回転工具１２０を溝部１１１に差し込み、回転工具を操作して回転させる。又は、操作子１３０を孔部１１２に圧入し、操作子を操作して回転させる。図例した操作子１３０は、その基端面にボス１３１を設けてなるものであり、このボス１３１を孔部１１２に圧入して針合せカナ１１０と連結する。操作子１３０を連結した針合せカナ１１０は、操作子１３０と一体となって回転する。操作子１３０は、これを摘んで引張ることにより、取外すことができる。すなわち着脱可能となっている。
【００２２】
このような構成によると、針合せ装置１００の誤操作を防止することができる。電波修正時計の場合、時針パイプ４１０及び分針パイプの位置はモータ２１０の制御によって自動的に修正されるので、通常は針合せ装置１００を操作する必要はない。この針合せ装置１００は、製造時や検査時において必要に応じて利用される。つまり、使用者が誤まってこれを操作すると、正確な時刻表示の妨げになる場合があるが、本例によれば、回転工具１２０又は所定の操作子１３０が手元に無いと操作ができない構造となっており、そのような不都合を回避することができる。
【００２３】
また、ムーブメントが電波修正時計に用いるものでない場合は、操作子１３０を連結したまま通常使用するとよい。或は、操作子１３０は接着剤で固定してもよい。すなわち、電波修正時計であるかないかによって構成部品使い分ける必要が無いので、部品共通化の点でも有利である。
【００２４】
尚、本例における各部の構成は、特許請求の範囲に記載した技術的範囲において適宜に設計変更が可能であり、図例説明したものに限定されないことは勿論である。
【産業上の利用可能性】
【００２５】
本発明の針合せ装置は、電波修正時計のムーブメントに設けられる針合せ装置として極めて好適に利用することができる。
【図面の簡単な説明】
【００２６】
【図１】本発明の実施例に係り、電波修正時計のムーブメントを示す正面図である。
【図２】本発明の実施例に係り、電波修正時計のムーブメントを示す背面図である。
【図３】本発明の実施例に係り、電波修正時計のムーブメントを示す上面図である。
【図４】本発明の実施例に係り、ケース体の内部構造を示す説明図である。
【図５】本発明の実施例に係り、ムーブメントの要部を示す側面断面図である。
【図６】本発明の実施例に係り、（ａ）は針合せカナの先端面を示す正面図、（ｂ）は（ａ）の側面図である。
【図７】本発明の実施例に係り、針合せカナの溝部に回転工具を差し込んだ状態を示す側面断面図である。
【図８】本発明の実施例に係り、針合せカナの孔部に操作子を連結した状態を示す側面断面図である。
【符号の説明】
【００２７】
１    ムーブメント
１００    針合せ装置
１１０    針合せカナ
１１１    溝部
１１２    孔部
１２０    回転工具
１３０    操作子
１３１    ボス
２１０    第１ステッピングモータ
２２０    第２ステッピングモータ
３１０    第１減速機構
３１１    日の裏車
３１２    カナ
３２０    第２減速機構
４１０    時針パイプ
４１１    時針車
４２０    分針パイプ
４２１    分針車
４２２    カナ
４３０    秒針パイプ
４３１    秒針車
５００    回路基板
６００    ケース体
６０１    中板
６１０    第１ケース部材
６１１    アンテナの装着部
６１２    スナップ
６１３    開口部
６２０    第２ケース部材
６２１    支軸
６３０    第３ケース部材
７００    位置検出手段
７１０    発光素子
７２０    受光素子
７３０    透光部
８００    アンテナ
９００    目安機構
９１０    目安車
９１１    孔部
９２０    時伝え車
９３０    目安カム
９３１    突起部
９４０    板バネ
９５０    目安接点
【図１】
2010038584.tif 000003
【図２】
2010038584.tif 000004
【図３】
2010038584.tif 000005
【図４】
2010038584.tif 000006
【図５】
2010038584.tif 000007
【図６】
2010038584.tif 000008
【図７】
2010038584.tif 000009
【図８】
2010038584.tif 000010